(57)【要約】【課題】  地盤の高い側からの排水を考慮するとともに、施工の簡単な擁壁の施工方法を提供する。【解決手段】  擁壁部材９１の長さの整数倍と擁壁の長さとの差の分を砂利（透水性のある）等をモルタルや樹脂等のバインダで固めた接続部９５で調整し、それを水抜きとして利用する。【選択図】        図１５
2005036641.tif 000002
【特許請求の範囲】
【請求項１】
上方に延びる第１壁面と、前記第１壁面に対してその下部で水平方向に延びる第２壁面とを有する擁壁部材を、前記第１および第２壁面に交わる方向に、複数連続して並べて擁壁を施工する、擁壁の施工方法であって、
前記連続して隣接する擁壁部材間に透水性の透水壁面を構築する、擁壁の施工方法。
【請求項２】
前記擁壁の施工方法は、全体長さが第１の寸法である擁壁を施工する方法を含み、
前記擁壁部材の長さは、前記第１の寸法内に複数の擁壁部材が入る、第２寸法であり、
前記透水壁面は、前記第１寸法から前記複数の擁壁部材を並べたときの寸法を引いた寸法をほぼ均等に分けた寸法になるように施工する、請求項１に記載の擁壁の施工方法。
【請求項３】
前記擁壁部材は、前記第２壁面に垂直方向に設けられた縦穴を有し、
基礎の縦筋の立設位置に縦穴を掘削し、該縦穴内に、鋼管部材を、前記縦穴の掘削深度よりも深い位置まで建て込み、
前記鋼管部材の空間内に充填材を注入するとともに前記鋼管部材内に縦筋を立設した後、縦穴の空間内を含む基礎構築部にコンクリートを打設し、
縦筋を立設した鋼管部材を前記擁壁部材の縦穴に貫通することによって、前記擁壁部材を固定する、請求項１または２に記載の擁壁の施工方法。  
【発明の詳細な説明】
【技術分野】
【０００１】
本発明は、メーソンリーを含む擁壁の施工方法に関し、特に、施工管理が容易で、強度のある、メーソンリーを含む擁壁の施工方法に関するものである。
【背景技術】
【０００２】
従来の擁壁の施工方法が、たとえば、下記の特許文献１に開示されている。そこには、擁壁を擁壁用杭および補助杭で構成した擁壁の施工方法が開示されている。
【特許文献１】特開２００２−３７１５７１号公報（図１およびそれに関係する説明）
【発明の開示】
【発明が解決しようとする課題】
【０００３】
従来の擁壁の施工方法は上記のように行なわれていた。従来の擁壁の施工においては、鋼管矢板や、Ｈ型鋼が使用されており、擁壁において、地盤の高い側からの排水について考慮されていなかった。
【０００４】
また、従来の擁壁の施工方法においては、擁壁を製造するための、現場での型枠の配置や、型枠内へのコンクリートの流し込み等が必要であり、時間とコストがかかるという問題があった。
【０００５】
この発明は、上記のような従来の問題点に鑑みてなされたもので、地盤の高い側からの排水を考慮するとともに、施工の簡単な擁壁の施工方法を提供することを目的とする。
【課題を解決するための手段】
【０００６】
この発明にかかる擁壁の施工方法は、上方に延びる第１壁面と、第１壁面に対してその下部で水平方向に延びる第２壁面とを有する擁壁部材を、第１および第２壁面に交わる方向に、複数連続して並べて擁壁を施工する、擁壁の施工方法である。連続して隣接する擁壁部材間に透水性の透水壁面を構築する。
【０００７】
連続して隣接する擁壁部材間に透水性の透水壁面を構築するため、排水の容易な擁壁を施工することができる。
【０００８】
好ましくは、擁壁の施工方法は、全体長さが第１の寸法である擁壁を施工する方法を含み、擁壁部材の長さは、第１の寸法内に複数の擁壁部材が入る、第２寸法であり、透水壁面は、第１寸法から複数の擁壁部材を並べたときの寸法を引いた寸法をほぼ均等に分けた寸法になるように施工する。
【０００９】
さらに好ましくは、擁壁部材は、第２壁面に垂直方向に設けられた縦穴を有し、基礎の縦筋の立設位置に縦穴を掘削し、該縦穴内に、鋼管部材を、縦穴の掘削深度よりも深い位置まで建て込み、鋼管部材の空間内に充填材を注入するとともに鋼管部材内に縦筋を立設した後、縦穴の空間内を含む基礎構築部にコンクリートを打設し、縦筋を立設した鋼管部材を擁壁部材の縦穴に貫通することによって、擁壁部材を固定する。
【発明を実施するための最良の形態】
【００１０】
以下、本発明の擁壁の施工方法の実施の形態を図面に基づいて説明する。図１〜図５（Ａ）は、この発明にかかる擁壁の施工方法の施工手順の一実施の形態を示す図である。
【００１１】
まず、図１に示すように、擁壁１０を建造する位置の地盤を、特に限定されるものではないが、例えば、深度Ｈ１：１００〜２００ｍｍ程度、溝状に掘削して、布基礎１１（図４参照）を構築する部分となる掘削溝１を形成する。
【００１２】
この場合、掘削溝１の底面は、できるだけ平坦に形成することが望ましい。
【００１３】
次に、この掘削溝１の底両に、ゲージ２を敷設する。このゲージ２は、布基礎１１から立設する縦筋８ａの立設間隔Ｌ（特に限定きれるものではないが、通常は、Ｌ：８００ｍｍ）ごとに、透孔２１（図６参照）（この透孔２１の直径は、後述の鋼管部材５を押通することができる大きさで、かつ、あまり大きすぎない寸法に設定するようにする。）を形成する。
【００１４】
また、このゲージ２は、全長を取り扱いやすい長さに形成し、必要に応じて、ゲージ２の端部に形成した接続部２２（図６参照）を介して、複数のゲージ２を接続して用いるようにする。そして、この状態で、ゲージ２に形成した透孔２１（図６参照）の位置に、ペンキ等のマーキング材３を用いて、マーキングを施すようにする。
【００１５】
次に、図２に示すように、ゲージ２を除去し、マーキングを施した位置に、複式スコップ等の適宜の掘削工具を用いて、縦穴４を形成する。
【００１６】
この縦穴４は、特に限定されるものではないが、例えば、直径を後述の鋼管部材５の直径の２〜８倍の直径６０〜４００ｍｍ程度に、また、深度Ｈ２：３００〜１０００mm程度に形成するようにする。
【００１７】
そして、縦穴４は、図２（Ａ）に示すように、ストレートに掘削するほか、図２（Ｂ）に示すように、底部より開口部が大きくなるように（この場合、図示するように、多段状に形成したり、すり鉢状に形成することができる。）掘削することができ、これにより、一層強度のある基礎を構築することができる。
【００１８】
そして、図３に示すように、掘削溝１の底面に、ゲージ２を再度敷設し、ゲージ２に形成した透孔２１（図６参照）に、鋼管部材５を挿通し、この鋼管部材５を、ハンマー等の適宜の打撃工具７を用いて、縦穴４の深度Ｈ２より深い位置、特に限定されるものではないが、例えば、深度Ｈ３：２００〜１０００ｍｍ程度まで、打ち込んで配設するようにする。このように、鋼管部材５を打ち込んで配設するようにするため、鋼管部材５を打ち込んだ周囲の地盤を締め固めることができ、鋼管部材５を安定して立設する（自立させる）ことができるものとなる。
【００１９】
このとき、鋼管部材５の上端は、縦穴４より上方の掘削溝１内に位置するようにする。このように、鋼管部材５の上端を掘削溝１内に位置するようにすることにより、縦穴４の空間４１内を含む掘削溝１にコンクリートを打設して布基礎１１（図４参照）を構築したとき、鋼管部材５の上端が、布基礎１１内に埋投され、鋼管部材５と、縦穴４の空間４１内を含む掘削溝１に打設したコンクリート、すなわち、布基礎１１との一体性を確保することができるものとなる。
【００２０】
この鋼管部材５は、図７に示すように、内部に縦筋８ａの支持部材５１を適宜位置に配設したもので、さらに、その下端５２ａ、５２ｂを閉鎖し、かつ先鋭に形成したものである。
【００２１】
鋼管部材５は、特に限定されるものではないが、建造する擁壁１０を建造する地盤の性状等に応じて、例えば、直径が２５〜１４０ｍｍ程度、肉厚が１〜６ｍｍ程度、また、長さが５００〜２０００ｍｍ程度の鋼管を用いるようにする。
【００２２】
縦筋８ａの支持部材５１は、金属製又は合成樹脂製で、中心部に縦筋８ａを保持する孔５１ａ又はクランプ部５１ｂ（図７（Ｆ）参照）を備えたもので、鋼管部材５の上部（又は複数箇所）に、溶接や接着により固定したり、強嵌合することにより、配設するようにする。
【００２３】
鋼管部材５の下端５２a、５２ｂは、図７（Ｂ）に示すように、円錐状に絞り加工したり、図７（Ｃ）に示すように、押し潰すことにより、端面を閉鎖し、かつ先鋭に形成するようにする。
【００２４】
さらに、打撃工具７を用いて鋼管部材５を打撃する場合、図３及び図７（Ａ）に示すように、鋼管部材５の上端に、金属製又は合成樹脂製の打撃用キャップ６ａを被せることにより、鋼管部材５の上端が、打撃によって潰れないようにし、打ち込みが完了した後、打撃用キャップ６aを外すようにする。
【００２５】
なお、打撃用キャップ６ａは、図７（Ｄ）に示すように、鋼管部材５の上端部に嵌着することによって、鋼管部材５の上端部を抱持することができるように、溝状の嵌入部を備えたものを好適に用いることができる。
【００２６】
これにより、鋼管部材５の上端が、打撃によって潰れないようにすることができる。
【００２７】
なお、本実施の形態においては、鋼管部材５自体を加工して、端面を閉鎖し、かつ先鋭に形成するようにしたが、鋼管部材５の先端に、図７（Ｅ）に示すような、先端を先鋭に形成するとともに上部中心に縦筋８ａの保持部を形成したアタッチメント部材６ｂを取り付けることができる。
【００２８】
これにより、鋼管部材５に加工を施す必要がなくなるとともに、縦筋８ａを正確に立設、固定でき、施工精度が向上するだけでなく、施工管理も容易で、縦筋８ａの充填材の被り厚が均一になることと相俟って、建造された擁壁の品質を安定させることができる。
【００２９】
また、本実施の形態においては、鋼管部材５の先端を先鋭に形成し、鋼管部材を地盤中に打ち込んで建て込むことにより、鋼管部材を簡単に建て込むことができるとともに、鋼管部材を打ち込むことによって周囲の地盤を圧密することができ、一層強度のある基礎を構築することができるようにしたが、このほか、鋼管部材５を建て込む穴を先掘りしておき、この穴に鋼管部材５を挿入することによって鋼管部材５を建て込むようにしたり、外周両に螺旋翼を形成した鋼管部材を用い、この鋼管部材を回転することにより沈設して建て込むようにする等、任意の建て込み方法を採用することができる。
【００３０】
そして、自立している鋼管部材５内に、縦筋８ａを支持部材５１により支持、立設した状態で、鋼管部材５の空間内に充填材を注入するとともに、図４に示すように、掘削溝１に第１横筋１８ａ（ベース横筋）を配筋する。このとき、縦筋８ａと第１横筋１８ａを結束することによって、縦筋８ａをより正確に立設、固定できるものとなる。その後、縦穴４の空間４１内を含む掘削溝１にコンクリートを打設して布基礎１１を構築し、その後、図５に示すように、縦筋８ａ、８ｂを立設した鋼管部材５ａ、５ｂによって、ＰＣ（Precast）コンクリートで作成された擁壁部材１３の両端部を固定する。なお、隣接する擁壁部材１３があれば、それも合わせて固定される。そして、相互に接続された複数の擁壁部材１３で擁壁１０が構成される。
【００３１】
ここで、鋼管部材５内への縦筋８ａの立設と、鋼管部材５の空間内への充填材の注入とは、工事の手順等に応じて、いずれを先に行ってもよく、また、実質的に同時に行うこともできる。
【００３２】
次に擁壁１０の構成および建造手順について具体的に説明する。図５（Ａ）は擁壁１０の建造中の斜視図であり、図８は図５（Ａ）のＶＩＩＩで示す方向から見た矢視図である。この実施の形態においては、図１から４で述べた実施の形態に加えて、擁壁１０に交わる方向の敷地内にもう１本の縦筋を有する鋼管部材５ｄを設けている。その結果、擁壁１０はより強固に基礎に取付けられ、安定して保持される。
【００３３】
なお、この場合、図８に示すように、縦筋を有する鋼管部材５ｄは布基礎１１の内部に存在し、擁壁部材１３を支持する。
【００３４】
図８に示すように鋼管部材５ａと５ｄとは、第２、第３および第４の横筋１９、２０、２１で接続されている。また、図５に示すように、第１横筋１８を複数の第１横筋１８ａ、１８ｂおよび１８ｃで構成してもよい。このように鋼管部材５が挿通可能なように鉄筋を井桁状に組み込めば鋼管部材５のずれも生ずることなく、好ましくい。なお、図５においては、第２横筋１９の図示は途中で止めている。
【００３５】
図８を参照して、擁壁１０によって、宅内、敷地側のレベルを高く、隣地、道路側のレベルを低く保っている。このレベル差を擁壁部材１３で支持している。擁壁部材１３の上には、擁壁部材１３を固定しているのと同じ縦筋８を用いてブロック塀２３が建造されている。
【００３６】
図５（Ａ）および図８を参照して、擁壁部材１３には水抜き穴１４が設けられ、水抜き穴１４に向けて宅内、敷地側の水が集合するように、水抜き穴１４の底部に近接してテーパ１５が設けられている。それによって、水抜き穴１４から敷地内の水が隣地、道路側の溝２５に流される。なお、テーパ１５は、Ｌ型擁壁部材１３を施工後に取付けられるものとする。
【００３７】
図５（Ｂ）は、図５（Ａ）と異なり、Ｌ型の擁壁部材１２を布基礎１１の上に連続的に設けて擁壁を構成した場合の斜視図である。Ｌ型部材１２の底部と布基礎１１とは一体化される。布基礎１１には鋼管部材５を建て込まなくてもよいが、鋼管部材５を建て込むことによって、低い方への土圧による滑り力を抑制することができ、好ましい。図５（Ｂ）を参照して、隣接するＬ型擁壁部材１２の間は、擁壁部については、透水性のある目地２７で接続し、底部はコンクリートまたはモルタル２９で接続する。Ｌ型擁壁部材１２の具体的な寸法例としては、たとえば、擁壁部の厚さが、約１５０ｍｍから１８０ｍｍであり、高さが１２００ｍｍから１３００ｍｍであり、長さが８００ｍｍから１２００ｍｍであり、底部の長さが１０００ｍｍであり、底部の厚さが１５０ｍｍである。
【００３８】
図９は、この発明の擁壁１０として使用される擁壁部材の他の実施の形態を示す図である。図９を参照して、この擁壁部材１６は水抜き穴１４を有さない。この擁壁部材１６を使用する場合は、擁壁部材１６の目地２７に透水目地を使用する。透水目地を形成するには次の２通りの方法がある。一つは、擁壁部材１６の目地２７に型枠を取付け、混練り部材を流し込む方法であり、もう一つは、擁壁部材１６の目地２７にＰＣ透水コンクリートを嵌め込む方法である。
【００３９】
混練り部材は、砂利を接着性のある、有機系のエポキシ樹脂等または無機系のセメント系モルタル等にて練り、固まると隙間のある透水部材になるものである。
【００４０】
ＰＣ透水コンクリートは砂利を接着性のある樹脂またはセメント系モルタル等にて練り、型枠に流し込んで固まった部材をいう。
【００４１】
このようにすると、隣接する擁壁部材１６との間の目地２７から水を敷地外部へ排出することができる。この場合は、先の実施の形態と異なり、テーパ１５の傾斜は、図９に示すように中央部が高くなる。また、このテーパ１５の施工は、Ｌ型擁壁部材１２の施工後取付けられる。
【００４２】
擁壁部材１６以外の点については、先の実施の形態と同様であるので、その説明は省略する。
【００４３】
なお、ここで縦筋８および横筋３３は、腐食を考慮して、ステンレス製、亜鉛メッキ製、樹脂筋等を採用するのが好ましい。また、擁壁のみを施工するときは、縦筋８は、擁壁部材１３内に収まるようにし、穴部（図では、細い実線で記載している）２８は無くてもよい。擁壁部材１６どうしの基礎部の接続部は従来工法で施工する。
【００４４】
次に、擁壁部材１６を保持する鋼管部材５および縦筋８ａが所定の位置に設けられない場合について説明する。図１０（Ａ）および（Ｂ）は、図４においてＸで示す部分の拡大図である。なお、図４では、縦筋８ａが鋼管部材５から上方向に延びているが、ここでは、図４と異なり、縦筋８ａは以下に示すように鋼管部材５と一体化される。
【００４５】
図１０（Ａ）を参照して、鋼管部材５に挿入された鋼管挿入筋１２１は水平方向に曲げられている。水平方向に曲げられた鋼管挿入筋１２１に交わるように複数の横筋１２４ａ〜１２４ｃが配設される。この横筋１２４ａ〜１２４ｃを介して、後に説明する擁壁部材を支える縦筋８ａの水平方向に曲げられた部分が支持される。
【００４６】
ここで、縦筋８ａの水平に曲げられた内側部分には、鉄筋１２９が設けられている。また、鋼管部材５の上端部には、その中央部で鋼管挿入筋１２１を保持するための図示の無い縦筋ホルダが設けられており、それによって、鋼管挿入筋１２１は図に示すように鋼管部材５の中央部に保持されている。
【００４７】
図１１は図１０（Ａ）においてＸＩ-ＸＩで示す部分の平面図である。図１１を参照して、鋼管部材５ａ〜５ｄは所定のゲージにあわせて設置されるが、実際は土木工事であるため、寸法の正確さは期待できない。そこでこの発明では、基礎となる複数の鋼管部材５に挿入された鋼管挿入筋１２１を図に示すように水平方向に曲げ、それに横筋１２４ａ〜１２４ｃを支持させ、これを介して擁壁部材１６の縦筋８ａ〜８ｄを保持する。ここで、鋼管挿入筋１２１、横筋１２４および縦筋８とは相互に図示の無い結束線等で固定されている。なお、これらは相互にかんざし筋１２２等を用いて固定してもよい。
【００４８】
このようにして縦筋８ａ〜８ｄを保持することにより、鋼管部材５ａ〜５ｄの間隔ｂ１〜ｂ３に拘わらず、縦筋８ａ、８ｂ、８ｃおよび８ｄの間は等しい寸法ａに保つことができる。
【００４９】
図１２はこの発明にかかる擁壁の施工方法に使用される擁壁部材のさらに他の実施の形態を示す図である。図１２を参照して、この実施の形態においては、擁壁部材１７は水抜き穴１４を有するものの、水抜き穴へ水をガイドするテーパを有さない。水抜き穴１４からの排水量が多い場合はこの形式の擁壁部材１７でも特に問題はない。また、隣接する擁壁部材１７間の目地は、砂利を接着性のある、有機系のエポキシ樹脂等または無機系のセメント系モルタル等にて練り、固まると隙間のある透水部材で施工される。
【００５０】
擁壁部材１７以外の点については、先の実施の形態と同様であるので、その説明は省略する。
【００５１】
なお、擁壁部材１３，１６，１７を構成するＰＣコンクリートの寸法は予め決まっているため、擁壁全体の寸法が擁壁部材の整数倍にならないときは、目地２７の幅寸法を変えることによって調整できる。
【００５２】
なお、上記実施の形態においては、ゲージ２を用いて縦筋８の設置位置の特定を行った。図５に示すように、縦筋８ａ、８ｂの設置位置近傍には第１横筋１８ａ、１８ｂや第２横筋１９が配筋される。したがって、図８に示すように鉄筋を予め井桁状に配置し、それによって、ゲージを使用することなく、縦筋の設置位置を決めてもよい。
【００５３】
そのような縦筋付き鋼管部材５の位置決め方法の例について図１３を参照して説明する。図１３（Ａ）は擁壁部材１３，１６，１７を取付けるための縦筋８を保持する鋼管部材５を位置決めするように、掘削溝１に配筋を行った状態を示す平面図であり、図１３（Ｂ）は図１３（Ａ）においてＢ−Ｂで示した部分の矢視図である。
【００５４】
図１３を参照して、掘削溝１内に擁壁部材を並べる方向に平行に第１から第３の横筋７１〜７３を配設する。次いでそれに直交するように、鋼管部材５の位置決めができる間隔をあけて第４横筋７４ａ、７４ｂの対を配設する。第４横筋７４ａ、７４ｂの対と隣接する第５横筋７５ａ、７５ｂの対との間隔は鋼管部材５を配設するピッチに等しくする。
【００５５】
上記のように第１から第５等の横筋を配設することにより、ゲージを使用することなく鋼管部材５の位置決めが可能になる。
【００５６】
ところで、この発明の一実施の形態においては、鋼管に充填する充填材は、モルタル、樹脂、特に、無収縮モルタルセメント、すなわち、グラウトを使用するのが好ましい。グラウトの使用にあたっては、混合するセメントの量に対して適切な水を配合する必要があるが、その量は、季節によっても変動し、夏と冬とではその量が異なり、配合割合の決定は困難である。
【００５７】
次に、この発明の他の実施の形態について説明する。図１４は、この発明のさらに他の実施の形態を示す、図９に対応する図である。この実施の形態に係る、ＰＣコンクリートで構成されたＬ型の擁壁部材６６においては、Ｌ型の底辺である突出部６７には、その中央部に、垂直方向の縦穴７１ａ、７１ｂが設けられている。図５に示した実施の形態においては、擁壁部材１３を、その連続する、両端面に設けた、縦筋６８ａ、６８ｂおよび鋼管部材６５ａ、６５ｂによって固定した。
【００５８】
これに対して、この実施の形態によれば、突出部６７の中央部に設けた、縦穴７１ａ、７１ｂを貫通して、縦筋６８ａ、６８ｂを立設した鋼管部材６５ａ、６５ｂによって、擁壁部材６６が固定される。擁壁部材６６の縦穴７１の中には、鋼管部材６５を貫通して、水平方向に複数の鉄筋が出ており、この鉄筋と縦筋６８とを絡ませて、縦筋６８を固定する。
【００５９】
なお、図１４に示すように、突出部６７に一体化して擁壁の施工方向に、長手の溝６９を設け、この溝６９に折り曲げた縦筋６８ａや６８ｂを埋め込んでもよい。また、図示のない水平鉄筋を通し、かんざし筋を用いて、折り曲げた縦筋６８ａや６８ｂを固定してもよい。
【００６０】
また、擁壁部材６６ａ、６６ｂを施工後、擁壁部に設けた溝１５ａを介して、擁壁面に直角方向に交わる水平方向に、中央部で最も高く、その両側端部が低いテーパ１５を設けてもよい。
【００６１】
次に、擁壁の施工法のさらに他の実施の形態について説明する。図１５および図１６は、この実施の形態における施工方法を示す図である。
【００６２】
この実施の形態においては、擁壁を設ける際に、その長さがＰＣコンクリートで構成され、突出部を有する、擁壁部材１６の製品長さの整数倍にならない場合（たとえば擁壁の長さが３５００ｍｍで擁壁部材の製品の長さが１０００ｍｍ幅のような場合）の施工方法に関するものである。
【００６３】
なお、図１４においては、テーパ１５は、中央部で凸状になっているが、これに限らず、平坦であっても良い。また、擁壁部材６６を固定する縦穴６５は、擁壁部材６６ごとに２箇所設けているが、これに限らず、１箇所でもよい。
【００６４】
図１５を参照して、この場合は、製品長さの整数倍と擁壁の長さとの差の分を図１５（Ａ）（擁壁の平面図）に示すように砂利（透水性のある）等をモルタルや化学合成樹脂等のバインダで固めた接続部９５で調整し、それを水抜きとして利用する。これはまた、図１５（Ｂ）に示すように敷地形状が曲がっている場合にも応用可能である。こうすることにより、寸法を調整するだけではなく、デザイン性もよくなる。
【００６５】
なお、図１５（Ｂ）のように傾斜した擁壁が存在する場合は、隣接する擁壁部材９１同士が当接しないように、接続部９５を大きくしたり、擁壁部材９１の突出部の形状を突出部に向かって幅が狭くなる台形状としてもよい。
【００６６】
上記の場合の施工例について説明する。図１６（Ａ）は、図１５（Ａ）に示した擁壁を正面から見た正面図である。図１６（Ａ）を参照して、寸法の定められた擁壁部材９１〜９４を連続して配置し、その間を上記接続部９５で接続している。
【００６７】
図１６（Ｂ）は、図１６（Ａ）に示す擁壁部材で形成された擁壁を図中Ｂ−Ｂ方向から見た平面図である。図１６（Ｂ）を参照して、連続して配置された複数の擁壁部材９１〜９４の間には、透水性の接続部９５が設けられている。
次に、図１３で説明した、セメントの量に対して混合する水の配分の問題に対する対処について説明する。図１７は、上記のような問題点を考慮したグラウト用の水配合用タンク３０を示す斜視図である。図１７を参照して、水配合用タンク３０は、その上部に設けられた水注入穴３１と、水配合用タンク３０が水平に置かれているか否かを判断する水準器３２と、所定のレベルにそれぞれ設けられたキャップ付きの複数の排水孔Ａ〜Ｅおよびキャップ付き排水口３３とを含む。たとえば、排水孔Ａは、２５ｋｇグラウトの夏期、Ｂは２５ｋｇグラウトの冬期、Ｃは１０ｋｇグラウトの夏期、Ｄは１０ｋｇグラウトの冬期、というようにグラウトの季節に応じて必要な水の量に応じたレベルにキャップ付きの排水孔を設けている。
【００６８】
使用時には、まず水準器３２でレベルを合わせてから、グラウトの季節に応じた所定の水量の応じたキャップを外す。その状態で水注入穴３１を介して水を水配合タンク３０に所定のレベルまで満たす。この水配合タンク３０を現場へ持っていき、グラウトと混練するだけで、必要な水が供給できる。
【００６９】
また、この発明の一実施の形態においては、基礎にコンクリートを使用する。この施工時において、コンクリートに気泡があると仕上がりが悪くなる。そこで、この気泡を除去するためにコンクリートを流した後で、そのコンクリートから泡を消す。そのための気泡除去具を図１８に示す。
【００７０】
図１８は気泡除去具４０の各種例を示す図である。気泡除去具４０は、基本的に、エキスパンドメタルで構成された本体部４１と本体部４１の上部に設けられ、人が気泡除去具４０を保持するための把手４２とを含む。本体部図１８（Ａ）は、本体部４１のエキスパンドメタルの中央部にアングルの補強材を設けた例を示す。図１８（Ｂ）は、本体部４１の中央部にエキスパンドメタルを組み込み、周囲に補強材を設けた例である。図１８（Ｃ）は、エキスパンドメタル４１の使用する角度を変えた場合を示す。
【００７１】
いずれの例においても、補強材は、鉄で構成されてもよいし、アルミ、樹脂で構成されてもよい。また、金属製の場合に樹脂コーティングすると、型枠の表面に傷を付けることがなく、コンクリート表面がきれいに仕上がるので、好ましい。補強材の上部には、気泡除去具４０を保持するための把手４２が設けられている。把手４２をもって、エキスパンドメタル４１で構成された部分をコンクリートへ挿入し気泡を消す。エキスパンドメタル４１を用いているため、コンクリートの抵抗も比較的小さく、また、凹凸部が存在しているため、有効にコンクリートの気泡を除去できる。
【００７２】
エキスパンドメタルの呼び寸法は、たとえば、ＪＩＳ  Ｇ  ３３５１の品番でいうと、３０番代から７０番代が好ましい。これは、寸法が大きい方が気泡を取りにくく、小さくなると砂利等の骨材がエキスパンドメタルの開口に詰まって作業ができなくなるためである。特に５０番代から６０番代であれば、より気泡を除去できる効果が大きい。しかしながら、作業の内容によっては、上記以外の品番でもよく、また、ＪＩＳで規定された以外の寸法のものを使用してもよい。
【００７３】
把手４２は、パイプ状であり、手で容易に握り易いような直径になっている。把手４２と本体部４１との接続部は、図示したものに限らず、本体部４１は、例えば長さ６００ｍｍ×幅２００ｍｍの長方形である、本体部４１の形状についてはこれに限るものではない。本例では、１枚の板の端部を丸めることにより，把手４２が形成されているが、これに限らず、別途形成した丸棒、丸パイプ等を溶接等によって本体部４１に固定するようにしてもよい。
【００７４】
つぎに、気泡除去具４０を使用した生コンクリートの気泡の除去方法について説明する。生コンクリートが規定の高さまで打設される。その後、作業者が気泡除去具４０の把手４２を手で持って、本体部４１を、生コンクリート内に長手方向他端側から挿入して、上下に数回往復させる。なお、本体４１の上下の移動距離は、本体４１の長さの約１／３程度であればよいが、型枠内の気泡除去の場合は、深く挿入するので、これに限定されるものではない。これにより、本体４１に設けられたエキスパンドメタルによって生コンクリートとの接触部分全体をムラなく掻き混ぜることができる。そのため、生コンクリートとの接触部分に集められた気泡が、本体４１のエキスパンドメタルの孔に集められて大きな塊にされる。そのため、生コンクリート表面の気泡がつぶれて消失し易くされる。
【００７５】
上記実施の形態においては、擁壁の施工方法について説明したが、これに限らず、この施工方法を打ち放し壁等の化粧に使う面の施工に利用してもよい。
【００７６】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【図面の簡単な説明】
【００７７】
【図１】本発明の一実施の形態にかかる、擁壁の施工の前処理順序を示す図である。
【図２】擁壁の施工方法の施工順序を示す縦断面図で、（Ａ）は縦穴をストレートに掘削する場合、（Ｂ）は縦穴を底部より開口部が大きくなるように掘削する場合を示す。
【図３】擁壁の施工方法の施工順序を示す縦断面図である。
【図４】擁壁の施工方法の施工順序を示す縦断面図である。
【図５】擁壁の施工中の状態およびＬ型擁壁部材を示す斜視図である。
【図６】ゲージの平面図である。
【図７】鋼管部材及び打撃用キャップを示し、（Ａ）はその斜視図、（Ｂ）及び（Ｃ）は鋼管部材の底面図、（Ｄ）は打撃用キャップの断面図、（Ｅ）はアタッチメント部材の断面図、（Ｆ）は縦筋の支持部材の平面図である。
【図８】図５のＶＩＩＩで示す部分の矢視図である。
【図９】擁壁部材の他の実施の形態を示す図である。
【図１０】図４においてＸで示す部分の拡大図である。
【図１１】図１０（Ａ）においてＸＩ-ＸＩで示す部分の平面図である。
【図１２】擁壁部材のさらに他の実施の形態を示す図である。
【図１３】鋼管部材の位置決めの他の実施の形態を示す図である。
【図１４】擁壁部材のさらに他の実施の形態を示す図である。
【図１５】擁壁の施工方法のさらに他の実施の形態について説明する図である。
【図１６】擁壁の施工方法のさらに他の実施の形態について説明する図である。
【図１７】グラウト用の水配合用タンクを示す図である。
【図１８】気泡除去具を示す図である。
【符号の説明】
【００７８】
１  掘削溝（基礎構築部）、２  ゲージ、３  マーキング材、４  縦穴、５  鋼管部材、６ａ  打撃用キャップ、６ｂ  アタッチメント部材、７  打撃工具、８  縦筋、１０  擁壁、１１  布基礎（基礎）、１３、１６、１７  擁壁部材、１４  水抜き穴、１５  テーパ、１８  第１横筋、１９  第２横筋、２０  第３横筋、２１  第４横筋、４０  気泡除去具、５１  支持部材、５３  横筋
【図１】
2005036641.tif 000003
【図２】
2005036641.tif 000004
【図３】
2005036641.tif 000005
【図４】
2005036641.tif 000006
【図５】
2005036641.tif 000007
【図６】
2005036641.tif 000008
【図７】
2005036641.tif 000009
【図８】
2005036641.tif 000010
【図９】
2005036641.tif 000011
【図１０】
2005036641.tif 000012
【図１１】
2005036641.tif 000013
【図１２】
2005036641.tif 000014
【図１３】
2005036641.tif 000015
【図１４】
2005036641.tif 000016
【図１５】
2005036641.tif 000017
【図１６】
2005036641.tif 000018
【図１７】
2005036641.tif 000019
【図１８】
2005036641.tif 000020